(57)【要約】【課題】マルチタッチを検出可能なタッチパネルを利用して、簡単な操作で情報の入力を行うプログラム等を提供すること。【解決手段】プログラムは、マルチタッチを検出可能なタッチパネルで検出されたタッチ数を取得し、取得した前記タッチ数に対応する数値を、前記タッチパネル上で指定された入力領域５１に表示する処理をコンピュータに実行させる。前記入力領域５１は、タッチが検出された領域に対応する。前記タッチ数を取得する領域は、前記タッチパネル上の１つの項目領域５２内であり、前記項目領域５２は前記入力領域５１とは異なる領域である。【選択図】図６
2016212526.tif 000002
【特許請求の範囲】
【請求項１】
マルチタッチを検出可能なタッチパネルで検出されたタッチ数を取得し、
取得した前記タッチ数に対応する数値を、前記タッチパネル上で指定された入力領域に表示する
処理をコンピュータに実行させることを特徴とするプログラム。
【請求項２】
前記入力領域は、タッチが検出された領域に対応する
ことを特徴とする請求項１に記載のプログラム。
【請求項３】
前記タッチ数を取得する領域は、前記タッチパネル上の１つの項目領域内であり、
前記項目領域は前記入力領域とは異なる領域である
ことを特徴とする請求項１または請求項２に記載のプログラム。  
【請求項４】
前記入力領域は、前記タッチの状態を維持した状態で指定される、または、前記タッチが解除されてから、前記タッチパネル上で指定される
ことを特徴とする請求項１から請求項３のいずれか一つに記載のプログラム。
【請求項５】
前記入力領域は、前記タッチパネル上でタッチされた位置に対応する数値領域である
ことを特徴とする請求項１から請求項４のいずれか一つに記載のプログラム。
【請求項６】
マルチタッチを検出可能なタッチパネルで検出された複数の選択項目のうちのいずれかの選択項目に対応する領域内におけるタッチ数を取得し、
タッチ状態を維持しつつ特定の入力領域に到達したことを検出した場合に、前記入力領域に前記タッチがなされた前記領域に対応する選択項目の内容を表示するとともに、前記タッチ数を前記入力領域に対応する数値領域に表示する
処理をコンピュータに実行させることを特徴とするプログラム。
【請求項７】
表示された画像に対するマルチタッチを検出可能なタッチパネルに、複数の選択項目を含む項目領域と、入力を受け付けた結果を表示する入力領域とを表示し、
前記選択項目のうちの一の選択項目に対するタッチを含む操作を受け付けた場合には、前記選択項目を入力領域中の項目領域に、タッチ数に対応する数値を該項目領域に対応する数値領域にそれぞれ表示する
処理をコンピュータに実行させることを特徴とするプログラム。
【請求項８】
前記選択項目のうちの複数の選択項目に対するタッチを含む操作を受け付けた場合には、タッチを受け付けたそれぞれの選択項目を入力領域中の項目領域に表示する
処理をコンピュータに実行させることを特徴とする請求項７に記載のプログラム。
【請求項９】
前記選択項目に対するタッチを受け付けた場合に、該選択項目に対応する数値領域に表示すべき数値が所定の上限値を超えているか否かを判定し、
上限値を超えていると判定した場合には、上限値を超えている旨を前記タッチパネルに表示する処理をコンピュータに実行させることを特徴とする請求項７または請求項８に記載のプログラム。
【請求項１０】
マルチタッチを検出可能なタッチパネルで検出されたタッチ数を取得し、
取得した前記タッチ数に対応する数値を、前記タッチパネル上で指定された入力領域に表示する
処理をコンピュータに実行させることを特徴とする入力方法。
【請求項１１】
マルチタッチを検出可能なタッチパネルで検出された複数の選択項目のうちのいずれかの選択項目に対応する領域内におけるタッチ数を取得し、
タッチ状態を維持しつつ特定の入力領域に到達したことを検出した場合に、前記入力領域に前記タッチがなされた前記領域に対応する選択項目の内容を表示するとともに、前記タッチ数を前記入力領域に対応する数値領域に表示する
処理をコンピュータに実行させることを特徴とする入力方法。
【請求項１２】
マルチタッチを検出可能なタッチパネルで検出されたタッチ数を取得する取得部と、
取得した前記タッチ数に対応する数値を、前記タッチパネル上で指定された入力領域に表示する表示部と
を備えることを特徴とする入力装置。
【請求項１３】
マルチタッチを検出可能なタッチパネルで検出された複数の選択項目のうちのいずれかの選択項目に対応する領域内におけるタッチ数を取得する取得部と、
タッチ状態を維持しつつ特定の入力領域に到達したことを検出した場合に、前記入力領域に前記タッチがなされた前記領域に対応する選択項目の内容を表示するとともに、前記タッチ数を前記入力領域に対応する数値領域に表示する表示部と
を備えることを特徴とする入力装置。
【発明の詳細な説明】
【技術分野】
【０００１】
本発明は、コンピュータにより情報の入力を行うプログラム、入力方法および入力装置に関する。
【背景技術】
【０００２】
マルチポイント感知装置を介して複数の指等を使用したタッチによるジェスチャイベントを受け付けた場合に、そのジェスチャイベントに関連づけられた入力動作を開始する電子システムが開示されている（特許文献１）。
【０００３】
ユーザが選択可能な複数の選択肢を群に分け、タッチパネルに各群を縦一列に表示してユーザによる選択を受け付けることにより、装置の動作の設定を行う電子機器が開示されている（特許文献２）。
【先行技術文献】
【特許文献】
【０００４】
【特許文献１】特表２００９−５２５５３８号公報
【特許文献２】特開２０１３−２４２８４９号公報
【発明の概要】
【発明が解決しようとする課題】
【０００５】
しかしながら、特許文献１および特許文献２では、マルチタッチを検出可能なタッチパネルを利用して、簡単な操作で情報の入力を行う方法は開示されていない。
【０００６】
一つの側面では、本発明は、マルチタッチを検出可能なタッチパネルを利用して、簡単な操作で情報の入力を行うプログラム等を提供することを目的とする。
【課題を解決するための手段】
【０００７】
一態様では、本発明のプログラムは、マルチタッチを検出可能なタッチパネルで検出されたタッチ数を取得し、取得した前記タッチ数に対応する数値を、前記タッチパネル上で指定された入力領域に表示する処理をコンピュータに実行させる。
【発明の効果】
【０００８】
マルチタッチを検出可能なタッチパネルを利用して、簡単な操作で情報の入力を行うプログラム等を提供することが可能となる。
【図面の簡単な説明】
【０００９】
【図１】入力装置の装置構成図である。
【図２】候補ＤＢのレコードレイアウトを示す説明図である。
【図３】入力結果ＤＢのレコードレイアウトを示す説明図である。
【図４】入力装置の画面を示す説明図である。
【図５】入力装置の画面を示す説明図である。
【図６】入力装置の画面を示す説明図である。
【図７】入力装置の画面を示す説明図である。
【図８】入力装置の画面を示す説明図である。
【図９】入力装置の画面を示す説明図である。
【図１０】プログラムの処理の流れを示すフローチャートである。
【図１１】実施の形態２の入力装置の画面を示す説明図である。
【図１２】実施の形態２の入力装置の画面を示す説明図である。
【図１３】実施の形態２の入力装置の画面を示す説明図である。
【図１４】実施の形態３の候補ＤＢのレコードレイアウトを示す説明図である。
【図１５】実施の形態４の候補ＤＢのレコードレイアウトを示す説明図である。
【図１６】実施の形態５の候補ＤＢのレコードレイアウトを示す説明図である。
【図１７】実施の形態５の上限ＤＢのレコードレイアウトを示す説明図である。
【図１８】実施の形態５の入力結果ＤＢのレコードレイアウトを示す説明図である。
【図１９】実施の形態５の入力装置の画面を示す説明図である。
【図２０】実施の形態５の入力装置の画面を示す説明図である。
【図２１】実施の形態５のプログラムの処理の流れを示すフローチャートである。
【図２２】実施の形態５の上限判定のサブルーチンの処理の流れを示すフローチャートである。
【図２３】実施の形態６の入力装置の装置構成図である。
【発明を実施するための形態】
【００１０】
［実施の形態１］
図１は、入力装置１０の装置構成図である。入力装置１０は、ＣＰＵ（Central Processing Unit）１２、主記憶装置１３、補助記憶装置１４、通信部１５、読取部１６、タッチパネル１７およびバスを備える。
【００１１】
ＣＰＵ１２は、本実施の形態に係るプログラムを実行する演算制御装置である。ＣＰＵ１２には、一または複数のＣＰＵまたはマルチコアＣＰＵ等が使用される。ＣＰＵ１２は、バスを介して入力装置１０を構成するハードウェア各部と接続されている。
【００１２】
主記憶装置１３は、ＳＲＡＭ（Static Random Access Memory）、ＤＲＡＭ（Dynamic Random Access Memory）、フラッシュメモリ等の記憶装置である。主記憶装置１３には、ＣＰＵ１２が行う処理の途中で必要な情報およびＣＰＵ１２で実行中のプログラムが一時的に保存される。
【００１３】
補助記憶装置１４は、ＳＲＡＭ、フラッシュメモリ、ハードディスクまたは磁気テープ等の記憶装置である。補助記憶装置１４には、ＣＰＵ１２に実行させるプログラム、候補ＤＢ３１および入力結果ＤＢ３２等プログラムの実行に必要な各種情報が保存される。
【００１４】
通信部１５は、図示しないネットワークとの通信を行うインターフェイスである。読取部１６は、後述する可搬型記録媒体７２（図２３参照）を読み取る装置であり、具体的にはたとえばマイクロＳＤカードスロットである。
【００１５】
タッチパネル１７は、入力部１８と表示部１９を含む。タッチパネル１７は、表示部１９に画面を表示するとともに、ユーザの指等によりタッチされた画面上の位置を入力部１８により検出する。本実施の形態のタッチパネル１７は、複数の指等により同時にタッチするいわゆるマルチタッチをユーザが行った場合に、それぞれの指がタッチした場所を区別して検出することができる。
【００１６】
本実施の形態の入力装置１０は、タブレット、スマートフォン等、ユーザが主にタッチパネル１７を使用して操作を行う情報機器である。本実施の形態においては、病院、医院等において電子カルテに薬剤を入力する入力装置１０を例にして説明する。
【００１７】
図２は、候補ＤＢ３１のレコードレイアウトを示す説明図である。候補ＤＢ３１は、ユーザが入力を行う選択肢の候補を記録するＤＢである。候補ＤＢ３１は、名称フィールド、投与単位フィールドおよび用法フィールドを含む。名称フィールドには、薬剤の名称が記録されている。投与単位フィールドには、名称フィールドに記録された薬剤を投与する際の単位が記録されている。用法フィールドには、名称フィールドに記録された薬剤の用法が記録されている。候補ＤＢ３１は、１つの薬剤について１つのレコードを有する。
【００１８】
図３は、入力結果ＤＢ３２のレコードレイアウトを示す説明図である。入力結果ＤＢ３２は、入力装置１０が受け付けた入力を記録するＤＢである。入力結果ＤＢ３２は、用法フィールド、名称フィールド、投与量フィールドおよび投与単位フィールドを有する。用法フィールドには、名称フィールドに記録された薬剤の用法が記録されている。名称フィールドには、薬剤の名称が記録されている。投与量フィールドには、ユーザが入力した薬剤の投与量が記録されている。投与単位フィールドには、名称フィールドに記録された薬剤を投与する際の単位が記録されている。入力結果ＤＢ３２は、１つの薬剤について１つのレコードを有する。入力結果ＤＢ３２は、入力プログラムが起動するたびに、全てのレコードを削除する初期化が行われるＤＢである。
【００１９】
図４から図９は、入力装置１０の画面を示す説明図である。図４から図９を使用して本実施の形態の入力装置１０がユーザによる入力を受け付ける際の動作を説明する。
【００２０】
図４および図５を使用して、１本の指を使用して薬剤を入力する操作を説明する。ＣＰＵ１２は、タッチパネル１７に図４の画面を表示する。図４の画面について説明する。画面の上側から電子カルテ欄２１、入力領域５１および項目領域５２がそれぞれ表示されている。なお、電子カルテ欄２１のＳはSubjectの略で病歴等を、ＯはObjectの略で所見等を、ＡはAssessmentの略で評価を、ＰはPlanの略で治療方針を、ＢＰは、Blood Pressureの略で血圧をそれぞれ意味する。
【００２１】
ＣＰＵ１２は、通信部１５を介して図示しないネットワークに接続されたサーバから取得した電子カルテの一部を電子カルテ欄２１に表示する。ＣＰＵ１２は、ユーザが選択することが可能な選択項目を項目領域５２に表示する。選択項目は候補ＤＢ３１に記録されている薬剤からＣＰＵ１２が抽出した薬剤の名称である。ＣＰＵ１２は、項目領域５２に表示する薬剤をユーザが入力したキーワード等に基づいて抽出しても良いし、電子カルテに記載されている情報に基づいて抽出しても良い。
【００２２】
図４では、ユーザは１つの選択項目を指でタッチして選択している。ＣＰＵ１２は、選択を受け付けた選択項目を項目選択枠４１で囲んで表示する。図４の白抜き矢印は、ユーザが選択項目をタッチした状態で上方向に指を滑らせる操作をした事を示している。以後の説明では、画面を指でタッチした状態で一方向に指を滑らせる操作をスワイプ操作と記載する。
【００２３】
図５は、スワイプ操作を受け付けた後にＣＰＵ１２がタッチパネル１７に表示する画面を示す。図４でユーザが選択した選択項目に対応する薬剤の情報が入力領域５１に追加されている。薬剤の情報は、用法欄２５、名称欄２６、数量欄２７および単位欄２８に分けて表示されている。名称欄２６には、スワイプ操作を受け付けた項目に対応する薬剤の名称が表示されている。用法欄２５には薬剤の用法が表示されている。数量欄２７には薬剤の投与量である数値が表示されている。単位欄２８には投与量の単位が表示されている。以上の操作により、ＣＰＵ１２は、ユーザによる１つの選択項目の入力を受け付けて、電子カルテに追記する。
【００２４】
図６および図７を使用して、２本の指を使用して１つの薬剤を入力する操作を説明する。ＣＰＵ１２は、タッチパネル１７に図６の画面を表示する。画面の内容は図４と同様であるので、説明を省略する。図６では、ユーザは１つの選択項目を２本の指でタッチして選択した後に上方向にスワイプ操作している。
【００２５】
図７は、スワイプ操作を受け付けた後にＣＰＵ１２がタッチパネル１７に表示する画面を示す。図６でユーザが選択した選択項目に対応する薬剤の情報が入力領域５１に追加されている。電子カルテ欄２１に追加された薬剤の数量欄２７には、選択項目を選択した指の本数に対応する数値である「２」が表示されている。なお、３本の指を用いて同様の操作を行った場合には数量欄２７には「３」が表示される。以上の操作により、ＣＰＵ１２は、ユーザによる１つの選択項目およびそれに対応する数値の入力を受け付けて、電子カルテに追記する。
【００２６】
図８および図９を使用して、２本の指を使用して２つの薬剤を入力する操作を説明する。ＣＰＵ１２は、タッチパネル１７に図８の画面を表示する。画面の内容は図４と同様であるので、説明を省略する。図８では、ユーザは２つの選択項目を２本の指でタッチして選択した後に上方向にスワイプ操作している。
【００２７】
図９は、スワイプ操作を受け付けた後にＣＰＵ１２がタッチパネル１７に表示する画面を示す。図８でユーザが選択した２つの選択項目に対応する薬剤の情報が入力領域５１に追加されている。以上の操作により、ＣＰＵ１２は、ユーザによる２つの選択項目の入力を受け付けて、電子カルテに追記する。
【００２８】
図１０は、プログラムの処理の流れを示すフローチャートである。図１０を使用して、本実施の形態のＣＰＵ１２が行う処理の流れを説明する。
【００２９】
ＣＰＵ１２は、通信部１５を介して図示しないネットワークに接続されたサーバから電子カルテの情報を取得して、タッチパネル１７に表示する（ステップＳ５０１）。ＣＰＵ１２は、選択項目をタッチパネル１７に表示する（ステップＳ５０２）。この際、ＣＰＵ１２は、ユーザが入力したキーワード等に基づいて候補ＤＢ３１から候補レコードを抽出する。ＣＰＵ１２は、抽出した候補レコードの名称フィールドに記録された薬剤の名称を選択項目に使用する。ＣＰＵ１２は、ユーザによるタッチパネル１７へのタッチを検出する（ステップＳ５０３）。ＣＰＵ１２は、ユーザが同時にタッチしたタッチ数を取得する（ステップＳ５０４）。
【００３０】
ＣＰＵ１２は入力操作を受け付けたか否かを判定する（ステップＳ５０５）。ここで、入力操作を受け付けた事は、ユーザによりスワイプ操作が行われたことを検知した事により判定する。入力操作を受け付けていないと判定した場合は（ステップＳ５０５でＮＯ）、ＣＰＵ１２はステップＳ５０３に戻る。入力操作を受け付けていないと判定する場合というのは、たとえばユーザが薬剤名をタッチしたが、スワイプ操作を行わずに、別の薬剤名をタッチしなおした場合である。入力操作を受け付けたと判定した場合は（ステップＳ５０５でＹＥＳ）、ＣＰＵ１２はステップＳ５０３で検出したタッチが１つの選択項目、すなわち１つの薬剤名に対するものであるか否かを判定する（ステップＳ５０６）。
【００３１】
１つの選択項目に対するものであると判定した場合は（ステップＳ５０６でＹＥＳ）、ＣＰＵ１２はタッチされた選択項目とタッチ数の入力結果レコードを作成する（ステップＳ５０７）。具体的には、ＣＰＵ１２はタッチされた選択項目をキーとして候補ＤＢ３１を検索して候補レコードを抽出する。ＣＰＵ１２は抽出した候補レコードの用法フィールド、名称フィールドおよび投与単位フィールドの内容をそれぞれ対応するフィールドに記録した新規レコードを入力結果ＤＢ３２に作成する。ＣＰＵ１２は、新規レコードの投与量フィールドに、ステップＳ５０４で取得したタッチ数を記録する。
【００３２】
複数の選択項目に対するものであると判定した場合は（ステップＳ５０６でＮＯ）、ＣＰＵ１２はタッチされた選択項目それぞれの入力結果レコードを作成する（ステップＳ５０８）。具体的には、ＣＰＵ１２はタッチされた選択項目をキーとして候補ＤＢ３１を検索して候補レコードを抽出する。ＣＰＵ１２は抽出したそれぞれの候補レコードの用法フィールド、名称フィールドおよび投与単位フィールドの内容をそれぞれ対応するフィールドに記録した新規レコードを入力結果ＤＢ３２に作成する。すなわち、ＣＰＵ１２は抽出した候補レコードの数と同数の新規レコードを入力結果ＤＢ３２に作成する。ＣＰＵ１２は、新規レコードの投与量フィールドに、１を記録する。
【００３３】
ステップＳ５０７またはステップＳ５０８の終了後、ＣＰＵ１２は、タッチパネル１７に入力結果を含む画面を表示する（ステップＳ５０９）。具体的には、ＣＰＵ１２は、タッチパネル１７に表示した画面の入力領域５１に入力結果ＤＢ３２に記録したレコードを表示する。
【００３４】
ＣＰＵ１２は、入力を終了したか否かを判定する（ステップＳ５１０）。具体的には、ユーザが指でタッチパネル１７に所定の図形を描いた事を検出した場合、または図示しない終了ボタンの選択を受け付けた場合に、ＣＰＵ１２は入力を終了したと判定する。入力を終了していないと判定した場合は（ステップＳ５１０でＮＯ）、ＣＰＵ１２はステップＳ５０３に戻る。入力を終了したと判定した場合は（ステップＳ５１０でＹＥＳ）、ＣＰＵ１２は入力結果ＤＢ３２に記録したレコードを電子カルテに追記する（ステップＳ５１２）。具体的には、ＣＰＵ１２は通信部１５を介して図示しないネットワークに接続されたサーバに入力結果ＤＢ３２の内容を送信する。ＣＰＵ１２は、入力結果ＤＢ３２のレコードを削除した後に、処理を終了する。
【００３５】
本実施の形態によると、ユーザは項目領域５２に表示された選択項目をタッチしてスワイプ操作を行うことにより、入力領域５１に選択項目を入力したという直感的な感覚を得る。複数の指を使用してタッチする場所の相違により入力する内容を操作することができるので、多くの項目を少ない操作で入力することができる。以上のように、本実施の形態によると、マルチタッチを検出可能なタッチパネル１７を利用して、簡単な操作で情報の入力を行える入力装置１０を実現することができる。
【００３６】
入力を受け付ける操作は、スワイプ操作に限定しない。たとえばタッチパネル１７にタッチした指を素早く払うように動かすいわゆるフリック操作、タッチパネル１７を所定時間上継続してタッチする長押し操作またはタッチパネル１７の同じ場所を２回連続してタッチするダブルタッチ操作等の任意の操作で入力を受け付けるようにしても良い。
【００３７】
ステップＳ５０９とステップＳ５１０との間で、ユーザが特定の操作、たとえば数量欄２７を２回タッチするダブルタップを行った場合に、ユーザによる編集を受け付けるようにしても良い。このようにすることで、片手では入力できない６以上の数量も入力することができる。
【００３８】
項目領域５２に表示する薬剤の名称と、名称欄２６に表示する薬剤の名称は同一の表記でなくても良い。たとえば、一方は薬剤の正式名称、他方は略称としても良い。このようにすると、小型のタッチパネル１７の表示画面を効率良く使用することができる。
【００３９】
入力装置１０は、タッチパネル１７および通信部１５を備えるクライアントと、図示しないネットワークで接続されたサーバとの組み合わせにより実現しても良い。このようにすることにより、大容量記憶装置を持たないいわゆるシンクライアント端末またはＣＰＵ１２の処理能力の低い携帯端末を使用して、本実施の形態の入力装置１０を実現することができる。
【００４０】
補助記憶装置１４に電子カルテの情報が保存されていても良い。個人医院等、複数の端末を必要としない小規模の医療機関でも使用しやすい入力装置１０を実現することができる。
【００４１】
電子商取引のいわゆる買い物かごの入力に、本実施の形態の入力装置１０を利用しても良い。その場合、候補ＤＢ３１には、書籍または食料品等の商品の名称および価格等が記録される。
【００４２】
［実施の形態２］
本実施の形態は、ユーザが追加した選択項目を、ユーザが選択した場所に表示する入力装置１０等に関する。
【００４３】
図１１から図１３は、実施の形態２の入力装置１０の画面を示す説明図である。図１１から図１３を使用して、実施の形態２の入力装置１０がユーザによる入力を受け付ける際の動作を説明する。なお、実施の形態１と共通する部分については、説明を省略する。
【００４４】
本実施の形態においては、電子カルテ欄２１の上部に挿入ボタン６１が設けられている。本実施の形態は、ＣＰＵ１２が取得した電子カルテの情報に既に薬剤が記録されている場合を例にして説明する。ＣＰＵ１２は、電子カルテの情報に記録されている薬剤を入力結果ＤＢ３２に複写すると共に、入力領域５１に表示する。
【００４５】
ユーザが３本の指を使用して１つの薬剤を選択した場合を例にして説明する。図１１に示すようにＣＰＵ１２が選択された薬剤の周囲に項目選択枠４１を表示した後に、ユーザは入力領域５１に表示された項目間の境界線まで指を滑らせてから離す、いわゆるドラッグアンドドロップ操作を行う。ＣＰＵ１２はドラッグアンドドロップ操作を検知して、指が離された境界線の部分に新しい行を作成して選択された薬剤を表示する。ドラッグアンドドロップ操作を検知した後にＣＰＵ１２がタッチパネル１７に表示する画面を図１２に示す。ＣＰＵ１２は、入力領域５１の上から２行目に、ユーザが選択した薬剤を追加してタッチパネル１７に表示している。ＣＰＵ１２が入力領域５１に追加した薬剤の数量は、ドラッグアンドドロップ操作に使用した指の本数に対応した３ｇである。
【００４６】
図１３を使用して、本実施の形態の入力装置１０を使用した別の操作方法を説明する。図１１の場合と同様に、ユーザが３本の指を使用して１つの薬剤を選択した場合を例にして説明する。選択された薬剤の周囲にＣＰＵ１２が項目選択枠４１を表示した後に、ユーザは指を離して入力領域５１の１つの行にタッチする。ＣＰＵ１２は、タッチを検知した行の周囲に行挿入枠４３を表示する。その後ユーザは挿入ボタン６１をタッチする。ＣＰＵ１２は挿入ボタン６１のタッチを検知した後に、行挿入枠４３の上に新しい行を挿入し、項目選択枠４１で囲まれている薬剤を表示する。ここで表示する画面は図１２と同一である。
【００４７】
ＣＰＵ１２は、図１２に示した入力操作の結果を実施の形態１と同様に入力結果ＤＢ３２に記録する。ＣＰＵ１２は入力結果ＤＢ３２に記録したレコード用いて電子カルテを更新する。具体的には、ＣＰＵ１２は通信部１５を介して図示しないネットワークに接続されたサーバに入力結果ＤＢ３２の内容を送信する。
【００４８】
本実施の形態によると、ユーザは薬剤を入力する行を自由に選択することができる。そのため、ユーザは薬剤の表示順序を自分が認識しやすい順番に整理しながら操作を行うことができる。
【００４９】
項目選択枠４１が表示されていない状態でユーザが挿入ボタン６１を選択した場合に、ＣＰＵ１２が入力領域５１に空白行を追加するようにしても良い。このようにすることにより、さらにユーザの操作の自由度が増し、ユーザの好みに合わせた操作性を備える入力装置１０を実現することができる。
【００５０】
［実施の形態３］
本実施の形態は、ユーザがタッチ操作に使用する指の数とタッチされた選択項目に対応して入力結果ＤＢ３２に記録する数値との関係を薬剤に適した値に設定する入力装置１０に関する。
【００５１】
図１４は、実施の形態３の候補ＤＢ３１のレコードレイアウトを示す説明図である。図１４を使用して実施の形態３の入力装置１０の動作を説明する。なお、実施の形態１と共通する部分については、説明を省略する。
【００５２】
本実施の形態の候補ＤＢ３１は、名称フィールド、投与単位フィールド、用法フィールドおよびタッチ数フィールドを含む。タッチ数フィールドには、１フィールドから５フィールドまでの５つのフィールドを含む。
【００５３】
名称フィールドには、薬剤の名称が記録されている。投与単位フィールドには、名称フィールドに記録された薬剤を投与する際の単位が記録されている。用法フィールドには、名称フィールドに記録された薬剤の用法が記録されている。タッチ数フィールドの１フィールドには、１本の指を使用した操作を受け付けた場合にＣＰＵ１２が入力結果ＤＢ３２の数量フィールドに記録する投与数が記録されている。タッチ数フィールドの２フィールドには、２本の指を使用した操作を受け付けた場合にＣＰＵ１２が入力結果ＤＢ３２の数量フィールドに記録する投与数が記録されている。以下タッチ数フィールドの５フィールドまで同様である。なお、各タッチ数フィールドには、各薬剤の典型的な投与量に応じた値が記録されている。
【００５４】
本実施の形態によると、たとえば０．５のような小数点を伴う数量および６以上の数量を簡単に入力することのできる入力装置１０を実現することができる。
【００５５】
項目選択枠４１の近傍またはタッチパネル１７の画面の空いている場所に、選択した薬剤のタッチ数フィールドの値を表示するようにしても良い。このようにすると、ユーザーは入力しようとしている薬剤の数量を容易に把握することができる。
【００５６】
たとえば上スワイプ操作の場合の各タッチ数フィールド、下スワイプ操作の場合の各タッチ数フィールド等を設けても良い。このようにすることにより、ユーザは指の本数を超える種類の選択肢から投与量を選択して入力することができる。
【００５７】
［実施の形態４］
本実施の形態は、ユーザが複数の選択項目をタッチした場合にそれぞれの選択項目に対応して入力結果ＤＢ３２に記録する数値を、それぞれの選択項目に適した値に設定する入力装置１０に関する。
【００５８】
図１５は、実施の形態４の候補ＤＢ３１のレコードレイアウトを示す説明図である。図１５を使用して実施の形態４の入力装置１０の動作を説明する。なお、実施の形態１と共通する部分については、説明を省略する。
【００５９】
本実施の形態の候補ＤＢ３１は、名称フィールド、投与単位フィールド、用法フィールドおよびマルチ入力フィールドを含む。名称フィールドには、薬剤の名称が記録されている。投与単位フィールドには、名称フィールドに記録された薬剤を投与する際の単位が記録されている。用法フィールドには、名称フィールドに記録された薬剤の用法が記録されている。マルチ入力フィールドには、ユーザが複数の薬剤について同時にスワイプ操作を行った場合に、入力結果ＤＢ３２の名称フィールドに記録された薬剤に対応する数量フィールドにＣＰＵ１２が記録する数値が記録されている。なお、各マルチ入力フィールドには、各薬剤の典型的な投与量に応じた数値が記録されている。
【００６０】
本実施の形態によると、典型的な投与量を投与する場合には、ユーザは複数の薬剤を同時にスワイプ操作した後で投与量を修正する操作を行う必要が無い。したがって、少ない操作で適切な入力を完了することができる入力装置１０を実現することができる。
【００６１】
候補ＤＢ３１は、本実施の形態のマルチ入力フィールドと実施の形態３で説明したタッチ数フィールドの両方を有しても良い。このようにすることにより、１つの薬剤を選択した場合も、複数の薬剤を同時に選択した場合も、薬剤に適した数量を入力できる入力装置１０を実現することができる。
【００６２】
［実施の形態５］
本実施の形態は、ユーザ選択した選択項目に対応する数値が所定の値を超えているか否かを判定し、超えている場合には通知を表示する入力装置１０に関する。
【００６３】
図１６は、実施の形態５の候補ＤＢ３１のレコードレイアウトを示す説明図である。図１７は、実施の形態５の上限ＤＢのレコードレイアウトを示す説明図である。図１８は、実施の形態５の入力結果ＤＢ３２のレコードレイアウトを示す説明図である。図１９および図２０は、実施の形態５の入力装置１０の画面を示す説明図である。図２１は、実施の形態５のプログラムの処理の流れを示すフローチャートである。図２２は、実施の形態５の上限判定のサブルーチンの処理の流れを示すフローチャートである。図１６から図２２を使用して、本実施の形態の入力装置１０の動作を説明する。なお、実施の形態１と共通する部分については、説明を省略する。
【００６４】
本実施の形態の候補ＤＢ３１は、名称フィールド、投与単位フィールド、用法フィールド、成分フィールド、成分量フィールド、および成分単位フィールドを含む。名称フィールドには、薬剤の名称が記録されている。投与単位フィールドには、名称フィールドに記録された薬剤を投与する際の単位が記録されている。用法フィールドには、名称フィールドに記録された薬剤の用法が記録されている。成分フィールドには、名称フィールドに記録された薬剤の有効成分の名称が記録されている。成分量フィールドには、名称フィールドに記録された薬剤の１投与単位に含有される有効成分の量が記録されている。成分単位フィールドには、成分量フィールドに記録されている数値の単位が記録されている。
【００６５】
上限ＤＢは、薬剤の有効成分と投与可能な上限値とを関連付けるＤＢである。上限ＤＢは、補助記憶装置１４に記憶されている。上限ＤＢは、成分フィールドおよび成分上限フィールドを有する。成分フィールドには、薬剤の有効成分の名称が記録されている。成分上限フィールドには、成分フィールドに記録された有効成分の投与量の上限値が記録されている。
【００６６】
本実施の形態の入力結果ＤＢ３２は、用法フィールド、名称フィールド、投与量フィールド、投与単位フィールド、成分フィールド、成分量フィールドおよび含有量フィールドを有する。用法フィールドには、名称フィールドに記録された薬剤の用法が記録されている。名称フィールドには、薬剤の名称が記録されている。投与量フィールドには、ユーザが入力した薬剤の投与量が記録されている。投与単位フィールドには、投与量フィールドに記録された数値の単位が記録されている。成分フィールドには、名称フィールドに記録された薬剤の有効成分の名称が記録されている。成分量フィールドには、名称フィールドに記録された薬剤の１投与単位に含有される有効成分の量が記録されている。含有量フィールドには、投与量フィールドに記録された投与量に対応する有効成分の含有量が記録されている。含有量は、投与量フィールドに記録された数値と成分量フィールドに記録された数値との積である。入力結果ＤＢ３２は、１つの薬剤の入力について１つのレコードを有する。
【００６７】
図１９の画面について説明する。画面の上側から電子カルテ欄２１、入力領域５１および項目領域５２がそれぞれ表示されている。入力領域５１と項目領域５２との間に、受付線４５が表示されている。
【００６８】
ＣＰＵ１２が取得した電子カルテの情報に既に薬剤が記録されている場合を例にして説明する。ＣＰＵ１２は、電子カルテの情報に記載されている薬剤を入力結果ＤＢ３２に複写すると共に、入力領域５１に表示する。
【００６９】
ユーザが１つの薬剤を２本の指でタッチし、項目選択枠４１が表示された後に上方向にスワイプ操作を行う場合を例にして説明する。スワイプ操作をしている指が受付線４５を超えた事を検知した場合に、ＣＰＵ１２は入力操作を受け付けたと判定する。ＣＰＵ１２は薬剤の投与量が上限を超えているか否かを判定する。図２０は、上限を超えていると判定した場合に、ＣＰＵ１２がタッチパネル１７に表示する画面を示す。ＣＰＵ１２は情報窓４８を表示して、選択した薬剤の有効成分の量が上限値を超えていることをユーザに通知する。
【００７０】
図２１を使用して、本実施の形態のＣＰＵ１２が行う処理の流れを説明する。ステップＳ５０６までは図１０で説明した実施の形態１の処理の流れと同一であるので説明を省略する。
【００７１】
ステップＳ５０３で検出したタッチが１つの選択項目、すなわち１つの薬剤名に対するものであると判定した場合は（ステップＳ５０６でＹＥＳ）、ＣＰＵ１２はタッチされた選択項目とタッチ数の入力結果レコードを作成する（ステップＳ５２１）。具体的には、ＣＰＵ１２はタッチされた選択項目をキーとして候補ＤＢ３１を検索して候補レコードを抽出する。ＣＰＵ１２は抽出した候補レコードの用法フィールド、名称フィールド、投与単位フィールド、成分フィールドおよび成分量フィールドの内容を、それぞれ対応するフィールドに記録した新規レコードを入力結果ＤＢ３２に作成する。ＣＰＵ１２は、新規レコードの投与量フィールドに、ステップＳ５０４で取得したタッチ数を記録する。ＣＰＵ１２は、新規レコードの含有量フィールドに、投与量フィールドに記録した値と成分量フィールドに記録した値との積を記録する。
【００７２】
複数の選択項目に対するものであると判定した場合は（ステップＳ５０６でＮＯ）、ＣＰＵ１２はタッチされた選択項目それぞれの入力結果レコードを作成する（ステップＳ５２２）。具体的には、ＣＰＵ１２はタッチされた選択項目をキーとして候補ＤＢ３１を検索して候補レコードを抽出する。ＣＰＵ１２は抽出したそれぞれの候補レコードの用法フィールド、名称フィールド、投与単位フィールド、成分フィールドおよび成分量フィールドの内容をそれぞれ対応するフィールドに記録した新規レコードを入力結果ＤＢ３２に作成する。すなわち、ＣＰＵ１２は抽出した候補レコードの数と同数の新規レコードを入力結果ＤＢ３２に作成する。ＣＰＵ１２は、新規レコードの投与量フィールドに、１を記録する。ＣＰＵ１２は、新規レコードの含有量フィールドに、投与量フィールドに記録した値と成分量フィールドに記録した値との積を記録する。
【００７３】
ステップＳ５２１またはステップＳ５２２の終了後、ＣＰＵ１２は、上限判定のサブルーチンを起動する（ステップＳ５２３）。上限判定のサブルーチンは、入力結果ＤＢ３２に記録された薬剤の有効成分の量が上限値を超えるか否かを判定し、判定結果に応じた処理を行うサブルーチンである。上限判定のサブルーチンの処理の流れは後述する。
【００７４】
ＣＰＵ１２は、入力を終了したか否かを判定する（ステップＳ５１０）。具体的には、ユーザが指でタッチパネル１７に所定の図形を描いた事を検出した場合、または図示しない終了ボタンの選択を受け付けた場合に、ＣＰＵ１２は入力を終了したと判定する。入力を終了していないと判定した場合は（ステップＳ５１０でＮＯ）、ＣＰＵ１２はステップＳ５０３に戻る。入力を終了したと判定した場合は（ステップＳ５１０でＹＥＳ）、ＣＰＵ１２は入力結果ＤＢ３２に記録したレコードを電子カルテに追記する（ステップＳ５１２）。具体的には、ＣＰＵ１２は通信部１５を介して図示しないネットワークに接続されたサーバに入力結果ＤＢ３２の内容を送信する。ＣＰＵ１２は、入力結果ＤＢ３２のレコードを削除した後に、処理を終了する。
【００７５】
図２２を使用して、上限判定のサブルーチンで本実施の形態のＣＰＵ１２が行う処理の流れを説明する。上限判定のサブルーチンは、入力結果ＤＢ３２に記録された薬剤の有効成分の量が上限値を超えるか否かを判定し、判定結果に応じた処理を行うサブルーチンである。
【００７６】
ＣＰＵ１２は、入力結果ＤＢ３２のレコードを成分フィールドをキーにしてソートする
（ステップＳ５４１）。ＣＰＵ１２は、成分フィールドに記録された成分ごとに含有量の合計を算出する（ステップＳ５４２）。ＣＰＵ１２は、合計値が上限値を超過しているか否かを判定する（ステップＳ５４３）。具体的には、ＣＰＵ１２は、成分をキーにして上限ＤＢを検索して、上限レコードを抽出する。ＣＰＵ１２は抽出した上限レコードの成分上限フィールドに記録された値とステップＳ５４２で算出した合計値とを比較する。ＣＰＵ１２はステップＳ５４２およびステップＳ５４３の操作を、入力結果ＤＢ３２に記録されている全ての成分について実行する。
【００７７】
上限値を超過している成分が無いと判定した場合には（ステップＳ５４３でＮＯ）、ＣＰＵ１２は、タッチパネル１７に入力結果を含む画面を表示する（ステップＳ５４５）。具体的には、ＣＰＵ１２は、タッチパネル１７に表示した画面の入力領域５１に入力結果ＤＢ３２に記録したレコードを表示する。ＣＰＵ１２はその後処理を終了する。
【００７８】
上限値を超過している成分があると判定した場合には（ステップＳ５４３でＹＥＳ）、ＣＰＵ１２はタッチパネル１７に上限を超過している旨を表示する（ステップＳ５４６）。具体的には、ＣＰＵ１２はタッチパネル１７に情報窓４８を表示する。ＣＰＵ１２は、ステップＳ５２１またはステップＳ５２２で作成したレコードを入力結果ＤＢ３２から削除する（ステップＳ５４７）。ＣＰＵ１２は以上で処理を終了する。
【００７９】
本実施の形態によると、薬剤の有効成分ごとに定められた上限値を超えた入力を防止できる入力装置１０を実現することができる。
【００８０】
情報窓４８に、上限を超過した薬剤の名称を表示しても良い。このようにすることにより、複数の薬剤を同時に選択した場合に、どの薬剤が上限超過の原因になっているのかをユーザが容易に把握することができる。また、情報窓４８に薬剤の上限値を表示しても良い。
【００８１】
受付線４５を使用せず、実施の形態１と同様にスワイプ操作が行われたことを検知したことにより、ＣＰＵ１２は入力を受け付けたと判定しても良い。
【００８２】
［実施の形態６］
実施の形態６は、タッチパネル１７を備える汎用のコンピュータとプログラム７１とを組み合わせて動作させることにより、入力装置１０を実現する形態に関する。図２３は、実施の形態６の入力装置１０の装置構成図である。図２３を使用して、本実施の形態の構成を説明する。なお、実施の形態１と共通する部分の説明は省略する。
【００８３】
本実施の形態の入力装置１０は、ＣＰＵ１２、主記憶装置１３、補助記憶装置１４、通信部１５、読取部１６、タッチパネル１７およびバスを備える。入力装置１０は、タッチパネル１７を備える汎用のタブレット、パソコンまたはスマートフォン等の情報処理装置である。
【００８４】
プログラム７１は、可搬型記録媒体７２に記録されている。ＣＰＵ１２は、読取部１６を介してプログラム７１を読み込み、補助記憶装置１４に保存する。またＣＰＵ１２は、入力装置１０内に実装されたフラッシュメモリ等の半導体メモリ７３に記憶されたプログラム７１を読出しても良い。さらに、ＣＰＵ１２は、通信部１５および図示しないネットワークを介して接続される図示しない他のサーバコンピュータからプログラム７１をダウンロードして補助記憶装置１４に保存しても良い。
【００８５】
プログラム７１は、入力装置１０の制御プログラムとしてインストールされ、主記憶装置１３にロードして実行される。これにより、情報処理装置は上述した入力装置１０として機能する。
【００８６】
各実施例で記載されている技術的特徴（構成要件）はお互いに組合せ可能であり、組み合わせすることにより、新しい技術的特徴を形成することができる。
今回開示された実施の形態はすべての点で例示であって、制限的なものでは無いと考えられるべきである。本発明の範囲は、上記した意味では無く、特許請求の範囲によって示され、特許請求の範囲と均等の意味および範囲内でのすべての変更が含まれることが意図される。
【００８７】
（付記１）
マルチタッチを検出可能なタッチパネルで検出されたタッチ数を取得し、
取得した前記タッチ数に対応する数値を、前記タッチパネル上で指定された入力領域に表示する
処理をコンピュータに実行させることを特徴とするプログラム。
【００８８】
（付記２）
前記入力領域は、タッチが検出された領域に対応する
ことを特徴とする付記１に記載のプログラム。
【００８９】
（付記３）
前記タッチ数を取得する領域は、前記タッチパネル上の１つの項目領域内であり、
前記項目領域は前記入力領域とは異なる領域である
ことを特徴とする付記１または付記２に記載のプログラム。
【００９０】
（付記４）
前記入力領域は、前記タッチの状態を維持した状態で指定される、または、前記タッチが解除されてから、前記タッチパネル上で指定される
ことを特徴とする付記１から付記３のいずれか一つに記載のプログラム。
【００９１】
（付記５）
前記入力領域は、前記タッチパネル上でタッチされた位置に対応する数値領域である
ことを特徴とする付記１から付記４のいずれか一つに記載のプログラム。
【００９２】
（付記６）
マルチタッチを検出可能なタッチパネルで検出された複数の選択項目のうちのいずれかの選択項目に対応する領域内におけるタッチ数を取得し、
タッチ状態を維持しつつ特定の入力領域に到達したことを検出した場合に、前記入力領域に前記タッチがなされた前記領域に対応する選択項目の内容を表示するとともに、前記タッチ数を前記入力領域に対応する数値領域に表示する
処理をコンピュータに実行させることを特徴とするプログラム。
【００９３】
（付記７）
マルチタッチを検出可能なタッチパネルで検出された複数の選択項目に対応する領域内におけるタッチ数を取得し、
タッチ状態を維持しつつ特定の入力領域に到達したことを検出した場合に、前記入力領域に前記タッチがなされた前記領域に対応するそれぞれの選択項目の内容を表示する
処理をコンピュータに実行させることを特徴とするプログラム。
【００９４】
（付記８）
表示された画像に対するマルチタッチを検出可能なタッチパネルに、複数の選択項目を含む項目領域と、入力を受け付けた結果を表示する入力領域とを表示し、
前記選択項目のうちの一の選択項目に対するタッチを含む操作を受け付けた場合には、前記選択項目を入力領域中の項目領域に、タッチ数に対応する数値を該項目領域に対応する数値領域にそれぞれ表示する
処理をコンピュータに実行させることを特徴とするプログラム。
【００９５】
（付記９）
前記選択項目のうちの複数の選択項目に対するタッチを含む操作を受け付けた場合には、タッチを受け付けたそれぞれの選択項目を入力領域中の項目領域に表示する
処理をコンピュータに実行させることを特徴とする付記８に記載のプログラム。
【００９６】
（付記１０）
前記選択項目に対する操作の受け付けは、前記選択項目のタッチに引き続いて所定の操作を検出した場合に行われることを特徴とする
付記８または付記９に記載のプログラム。
【００９７】
（付記１１）
前記数値領域に表示する数値は、選択項目および該選択項目についてのタッチ数に関連付けて予め定められた数値であることを特徴とする
付記８から付記１０のいずれか一つに記載のプログラム。
【００９８】
（付記１２）
前記選択項目に対するタッチを受け付けた場合に、該選択項目に対応する数値領域に表示すべき数値が所定の上限値を超えているか否かを判定し、
上限値を超えていると判定した場合には、上限値を超えている旨を前記タッチパネルに表示する処理をコンピュータに実行させることを特徴とする付記８から付記１１のいずれか一つに記載のプログラム。
【００９９】
（付記１３）
マルチタッチを検出可能なタッチパネルで検出されたタッチ数を取得し、
取得した前記タッチ数に対応する数値を、前記タッチパネル上で指定された入力領域に表示する
処理をコンピュータに実行させることを特徴とする入力方法。
【０１００】
（付記１４）
マルチタッチを検出可能なタッチパネルで検出された複数の選択項目のうちのいずれかの選択項目に対応する領域内におけるタッチ数を取得し、
タッチ状態を維持しつつ特定の入力領域に到達したことを検出した場合に、前記入力領域に前記タッチがなされた前記領域に対応する選択項目の内容を表示するとともに、前記タッチ数を前記入力領域に対応する数値領域に表示する
処理をコンピュータに実行させることを特徴とする入力方法。
【０１０１】
（付記１５）
マルチタッチを検出可能なタッチパネルで検出された複数の選択項目に対応する領域内におけるタッチ数を取得し、
タッチ状態を維持しつつ特定の入力領域に到達したことを検出した場合に、前記入力領域に前記タッチがなされた前記領域に対応するそれぞれの選択項目の内容を表示する
処理をコンピュータに実行させることを特徴とする入力方法。
【０１０２】
（付記１６）
表示された画像に対するマルチタッチを検出可能なタッチパネルに、複数の選択項目を含む項目領域と、入力を受け付けた結果を表示する入力領域とを表示し、
前記選択項目のうちの一の選択項目に対するタッチを含む操作を受け付けた場合には、前記選択項目を入力領域中の項目領域に、タッチ数に対応する数値を該項目領域に対応する数値領域にそれぞれ表示する
処理をコンピュータに実行させることを特徴とする入力方法。
【０１０３】
（付記１７）
マルチタッチを検出可能なタッチパネルで検出されたタッチ数を取得する取得部と、
取得した前記タッチ数に対応する数値を、前記タッチパネル上で指定された入力領域に表示する表示部と
を備えることを特徴とする入力装置。
【０１０４】
（付記１８）
マルチタッチを検出可能なタッチパネルで検出された複数の選択項目のうちのいずれかの選択項目に対応する領域内におけるタッチ数を取得する取得部と、
タッチ状態を維持しつつ特定の入力領域に到達したことを検出した場合に、前記入力領域に前記タッチがなされた前記領域に対応する選択項目の内容を表示するとともに、前記タッチ数を前記入力領域に対応する数値領域に表示する表示部と
を備えることを特徴とする入力装置。
【０１０５】
（付記１９）
マルチタッチを検出可能なタッチパネルで検出された複数の選択項目に対応する領域内におけるタッチ数を取得する取得部と、
タッチ状態を維持しつつ特定の入力領域に到達したことを検出した場合に、前記入力領域に前記タッチがなされた前記領域に対応するそれぞれの選択項目の内容を表示する表示部と
を備えることを特徴とする入力装置。
【０１０６】
（付記２０）
表示された画像に対するマルチタッチを検出可能なタッチパネルに、複数の選択項目を含む項目領域と、入力を受け付けた結果を表示する入力領域とを表示する第１表示部と、
前記選択項目のうちの一の選択項目に対するタッチを含む操作を受け付けた場合には、前記選択項目を入力領域中の項目領域に、タッチ数に対応する数値を該項目領域に対応する数値領域にそれぞれ表示する第二表示部と
を備えることを特徴とする入力装置。
【符号の説明】
【０１０７】
１０  入力装置
１２  ＣＰＵ
１３  主記憶装置
１４  補助記憶装置
１５  通信部
１６  読取部
１７  タッチパネル
１８  入力部
１９  表示部
２１  電子カルテ欄
２５  用法欄
２６  名称欄
２７  数量欄
２８  単位欄
３１  候補ＤＢ
３２  入力結果ＤＢ
４１  項目選択枠
４５  受付線
４８  情報窓
５１  入力領域
５２  項目領域
７１  プログラム
７２  可搬型記録媒体
７３  半導体メモリ
【図１】
2016212526.tif 000003
【図２】
2016212526.tif 000004
【図３】
2016212526.tif 000005
【図４】
2016212526.tif 000006
【図５】
2016212526.tif 000007
【図６】
2016212526.tif 000008
【図７】
2016212526.tif 000009
【図８】
2016212526.tif 000010
【図９】
2016212526.tif 000011
【図１０】
2016212526.tif 000012
【図１１】
2016212526.tif 000013
【図１２】
2016212526.tif 000014
【図１３】
2016212526.tif 000015
【図１４】
2016212526.tif 000016
【図１５】
2016212526.tif 000017
【図１６】
2016212526.tif 000018
【図１７】
2016212526.tif 000019
【図１８】
2016212526.tif 000020
【図１９】
2016212526.tif 000021
【図２０】
2016212526.tif 000022
【図２１】
2016212526.tif 000023
【図２２】
2016212526.tif 000024
【図２３】
2016212526.tif 000025